(57)【特許請求の範囲】
【請求項１】
消防用濡れホ−スのホース本体の表面に可逆性の水変色塗料を塗布したことを特徴とする消防用濡れホース。
【請求項２】
請求項１記載の消防用濡れホースであって、
可逆性の水変色塗料の塗布個所が前記ホース本体の表面に散在するように形成されていることを特徴とする消防用濡れホース。
【請求項３】
請求項１記載の消防用濡れホースであって、
可逆性の水変色塗料の塗布個所が前記ホース本体の表面に帯状に形成されていることを特徴とする消防用濡れホース。
【発明の詳細な説明】
【技術分野】
【０００１】
本発明は、消防用濡れホースに関し、特にそのホース本体の乾燥状態を容易に確認することができる消防用濡れホースに関するものである。
【背景技術】
【０００２】
従来、消防用ホースとして消防用濡れホースが使用されている（例えば特許文献１参照）。この消防用濡れホースは濡れホ―ス状のホース本体の両端に接続部を接続したものである。火災の消化活動において消防用濡れホースを使用するときに、そのホース本体の内側を通る水が、前記ホース本体の表面に漏洩し、前記ホース本体が濡れた状態になるので、前記ホース本体の焼損を防止することができる。
そして、上記使用後において、濡れた状態の消防用濡れホースを乾燥させた後に収納している。
【特許文献１】実公平２−８１４９号公報
【発明の開示】
【発明が解決しようとする課題】
【０００３】
しかし、上述の従来例の消防用濡れホースにおいては、その使用後の乾燥状態を目視や手触り等により確認しているので、乾燥状態を容易に確認することができないため、生乾きの状態の消防用濡れホースを密閉された収納箱に保管する場合があった。
このような場合、消防用濡れホースのホース本体におけるカビの発生、前記ホース本体の筒状ジャケットを構成する繊維の腐食等により、消防用濡れホースが著しく劣化するので、消防用濡れホースの強度の低下が懸念されるという問題があった。
そこで、本発明が解決しようとする課題は、使用後の消防用濡れホースのホース本体の乾燥状態を容易に確認することができるようにすることである。
【課題を解決するための手段】
【０００４】
上記課題を解決するため、請求項１記載の発明は、消防用濡れホ−スのホース本体の表面に可逆性の水変色塗料を塗布したことを特徴とする消防用濡れホースである。
これにより、消防用濡れホースのホース本体の表面が水で濡れているときと濡れていないときとで、前記ホース本体の表面に塗付した可逆性の水変色塗料の色が異なるので、前記ホース本体が水で濡れた状態でなくなって乾燥していることを容易に確認することができる。
【０００５】
さらに、請求項２記載の発明は、請求項１記載の消防用濡れホースであって、可逆性の水変色塗料の塗布個所が前記ホース本体の表面に散在するように形成されていることを特徴とする消防用濡れホースである。
これにより、可逆性の水変色塗料が前記ホ−ス本体の表面に散在するように塗布されているので、塗付した前記塗料にヒビ割れが発生することを少なくすることができるとともに、前記塗料の塗布量を少なくすることができる。
【０００６】
さらに、請求項３記載の発明は、請求項１記載の消防用濡れホースであって、可逆性の水変色塗料の塗布個所が前記ホース本体の表面に帯状に形成されていることを特徴とする消防用濡れホースである。
これにより、前記塗料の塗布量を少なくすることができる。
【発明の効果】
【０００７】
請求項１記載の発明によれば、消防用濡れホースの使用後、消防用濡れホースのホース本体が乾燥した状態を確認した後に消防用濡れホースを密閉された収納箱に保管することができる。このため、消防用濡れホースのホース本体におけるカビの発生、前記ホース本体の筒状ジャケットを構成する繊維の腐食等による消防用濡れホースのホース本体の劣化を防ぐことができる。
さらに、請求項２記載の発明によれば、請求項１記載の発明の効果とともに、前記塗布した塗料のヒビ割れによる劣化を少なくすることができ、かつ、前記塗料の節約をすることができる。
さらに、請求項３記載の発明によれば、請求項１記載の発明の効果とともに、前記塗料の節約をすることができる。
【発明を実施するための最良の形態】
【０００８】
以下、本発明における実施の形態を図面に基づいて説明する。
図１は本発明の第１の実施の形態に係る消防用濡れホースを示し、図２は本発明の第２の実施の形態に係る消防用濡れホースを示し、図３は本発明の第３の実施の形態に係る消防用濡れホースを示し、図４は本発明の第４の実施の形態に係る消防用濡れホースを示し、図５は本発明の第５の実施の形態に係る消防用濡れホースを示し、図６は本発明の第６の実施の形態に係る消防用濡れホースを示す。
【０００９】
図１に示すように、第１消防用濡れホース１０は、濡れホースからなるホース本体２０、ホース本体２０の一方の端に接続された第１接続部４１およびホース本体２０の他方の端に接続された第２接続部４２を備えている。第１接続部４１は図示しない消化栓に接続可能であり、第２接続部４２は図示しない放水ノズルに接続可能である。そして、図１においてはホース本体２０の表面２１に可逆性の水変色塗料の水玉模様状の塗布個所３１が散在するように形成されている。
前記水変色塗料は、吸湿によって変色する物質（例えば、塩化コバルト）を顔料として含む塗料である。そして、前記水変色塗料は刷毛塗りまたは吹き付けによってホース本体２０の表面２１に塗布されている。なお、前記水変色塗料としては「マイムプリント」（商品名）として販売されているものがある。
【００１０】
なお、図２から図６までに示す第２〜第６消防用濡れホース１０ａ〜１０ｅにおいても、ホース本体２０、第１接続部４１および第２接続部４２が使用されている。そして、第１接続部４１を前記消化栓に接続し、第２接続部４２を前記放水ノズルに接続して、前記放水ノズルから放水することができる。
【００１１】
図２に示す第２消防用濡れホース１０ａにおいては、ホース本体２０の表面２１に可逆性の水変色塗料の星状の塗布個所３２が散在するように形成されている。
【００１２】
図３に示す第３消防用濡れホース１０ｂにおいては、ホース本体２０の表面２１に可逆性の水変色塗料のストライプ状の塗布個所３３が帯状に形成されている。
さらに、図４に示す第４消防用濡れホース１０ｃにおいては、ホース本体２０の表面２１に可逆性の水変色塗料の平行斜線状の塗布個所３４が帯状に形成されている。
さらに、図５に示す第５消防用濡れホース１０ｄにおいては、ホース本体２０の表面２１に可逆性の水変色塗料の格子状の塗布個所３５が帯状に形成されている。
【００１３】
なお、図６に示すように、第６消防用濡れホース１０ｅのホース本体２０の表面２１の全面に可逆性の水変色塗料の全面塗布個所３６を形成してもよい。また、この場合は染め付けにより前記塗料をホース本体２０の表面２１に塗布することもできる。
【００１４】
上記構成の消防用ホースは以下の作用効果を奏する。
すなわち、第１〜第６消防用濡れホース１０〜１０ｅのホース本体２０の表面２１が水で濡れているときと濡れていないときとで、各消防用濡れホース１０〜１０ｅのホース本体２０の表面２１に塗布した可逆性の水変色塗料の色が異なるので、各消防用濡れホース１０〜１０ｅのホース本体２０の表面２１が水で濡れていない状態、すなわち乾燥している状態を容易に確認することができる。このため、消防訓練および有事の際の防災活動後において、各消防用濡れホース１０〜１０ｅのホース本体２０の乾燥状態を容易に確認することができるので、常に完全な乾燥状態で各消防用濡れホース１０〜１０ｅを収納できるため、各消防用濡れホース１０〜１０ｅの劣化更新による買い替え頻度が少なくてすみ、経費の軽減が図れる。
【００１５】
さらに、図１および図２に示すように、可逆性の水変色塗料が各消防用濡れホ−ス１０、１０ａのホース本体２０の表面２１に散在するように塗布されている場合には、塗付した前記塗料にヒビ割れが発生することを少なくすることができるとともに、前記塗料の塗布量を少なくすることができる。
【００１６】
さらに、図３から図５までに示すように、可逆性の水変色塗料がホース本体２０の表面２１に帯状に塗布されている場合には、前記塗料の塗布量を少なくすることができる。
【００１７】
なお、上記各実施の形態において、ホース本体２０の表面２１の各塗料塗布個所３１〜３６が示されているが、これに限らず、ホース本体２０の表面２１において任意の塗料塗布個所を設定することができる。
【図面の簡単な説明】
【００１８】
【図１】本発明の第１の実施の形態に係る消防用濡れホースを示す斜視図である。
【図２】本発明の第２の実施の形態に係る消防用濡れホースを示す斜視図である。
【図３】本発明の第３の実施の形態に係る消防用濡れホースを示す斜視図である。
【図４】本発明の第４の実施の形態に係る消防用濡れホースを示す斜視図である。
【図５】本発明の第５の実施の形態に係る消防用濡れホースを示す斜視図である。
【図６】本発明の第６の実施の形態に係る消防用濡れホースを示す斜視図である。
【符号の説明】
【００１９】
１０  第１消防用濡れホース
１０ａ  第２消防用濡れホース
１０ｂ  第３消防用濡れホース
１０ｃ  第４消防用濡れホース
１０ｄ  第５消防用濡れホース
１０ｅ  第６消防用濡れホース
２０  ホース本体
２１  表面
３１  水玉模様状の塗布個所
３２  星状の塗布個所
３３  ストライプ状の塗布個所
３４  平行斜線状の塗布個所
３５  格子状の塗布個所
３６  全面塗布個所
【図１】
0004588572.tif 000002
【図２】
0004588572.tif 000003
【図３】
0004588572.tif 000004
【図４】
0004588572.tif 000005
【図５】
0004588572.tif 000006
【図６】
0004588572.tif 000007